【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
基地局のワイヤレス通信の方法であって、
ユーザ機器（ＵＥ）についてのチャネル品質がしきい値品質よりも低いと決定することと、
前記チャネル品質に基づいて、前記ＵＥがしきい値変動性よりも大きいチャネル変動性を有すると決定することと、
前記チャネル品質が前記しきい値品質よりも低いと決定されたかどうかに基づいて、前記ＵＥとのビーム掃引を実行する周期性を調整するように１つまたは複数の基地局に指令することと
を備え、ここにおいて、前記指令することは、前記ＵＥが前記しきい値変動性よりも大きいチャネル変動性を有すると決定されたときに前記ビーム掃引を実行する周期性を増大させるように、前記ＵＥをサービスする基地局に指令することを備える、方法。
【請求項２】
前記チャネル品質に基づいて、前記ＵＥが第１の基地局から第２の基地局にハンドオフされる必要があると決定することをさらに備え、ここにおいて、前記指令することが、前記第１の基地局から前記第２の基地局への前記ＵＥの前記ハンドオフを容易にするために、前記ＵＥとの前記ビーム掃引を実行する周期性を増大させるように、前記第１の基地局または前記第２の基地局のうちの少なくとも１つに指令することを備える、請求項１に記載の方法。
【請求項３】
前記第１の基地局、前記第２の基地局、および前記ＵＥからのビーム掃引結果を含むビーム掃引結果情報を、前記第１の基地局および前記第２の基地局から受信することをさらに備え、ここにおいて、前記ハンドオフ決定が前記受信されたビーム結果情報に基づく、請求項２に記載の方法。
【請求項４】
前記ＵＥの前記ハンドオフ決定が、前記第１の基地局から前記第２の基地局へのＵＥの前のハンドオフの知識にさらに基づく、請求項３に記載の方法。
【請求項５】
前記第１の基地局または前記第２の基地局のうちの前記少なくとも１つに前記指令することは、前記第２の基地局が前記第１の基地局からの前記ハンドオフにおいて前記ＵＥを受け取る前に、前記ビーム掃引を実行する前記周期性を増大させるように、前記第１の基地局または前記第２の基地局のうちの前記少なくとも１つに指令することを備える、請求項２に記載の方法。
【請求項６】
前記第１の基地局または前記第２の基地局のうちの前記少なくとも１つに前記指令することは、前記第２の基地局が前記ハンドオフにおいて前記第１の基地局から前記ＵＥを受取成功した後に、前記ビーム掃引を実行する前記周期性を減少させるように、前記第１の基地局または前記第２の基地局のうちの前記少なくとも１つに指令することを備える、請求項２に記載の方法。
【請求項７】
前記ＵＥが前記第２の基地局にハンドオフされる前に、前記第１の基地局に前記ＵＥについてのデータパケットをフォワーディングすることと、
前記ＵＥが前記第１の基地局から前記第２の基地局にハンドオフされた後に、前記第２の基地局に前記ＵＥについてのデータパケットをフォワーディングすることと
をさらに備える、請求項２に記載の方法。
【請求項８】
前記ビーム掃引が、基地局または前記ＵＥのうちの１つによる複数の異なる送信空間方向におけるビームの複数の送信、および前記基地局または前記ＵＥのうちの前記１つの他方による複数の異なる走査空間方向における前記ビームの複数の走査である、請求項１に記載の方法。
【請求項９】
ワイヤレス通信のための装置であって、前記装置が基地局であり、
ユーザ機器（ＵＥ）についてのチャネル品質がしきい値品質よりも低いと決定するための手段と、
前記チャネル品質に基づいて、前記ＵＥがしきい値変動性よりも大きいチャネル変動性を有すると決定するための手段と、
前記チャネル品質が前記しきい値品質よりも低いと決定されたかどうかに基づいて、前記ＵＥとのビーム掃引を実行する周期性を調整するように１つまたは複数の基地局に指令するための手段と
を備え、ここにおいて、指令するための前記手段は、前記ＵＥが前記しきい値変動性よりも大きいチャネル変動性を有すると決定されたときに前記ビーム掃引を実行する周期性を増大させるように、前記ＵＥをサービスする基地局に指令するように構成される、装置。
【請求項１０】
プロセッサによって実行されたとき、請求項１に記載の方法を実行する命令を備えるコンピュータ可読媒体。
【手続補正２】
【補正対象書類名】明細書
【補正対象項目名】００７４
【補正方法】変更
【補正の内容】
【００７４】
[0086]以上の説明は、本明細書で説明した様々な態様を当業者が実施できるようにするために与えたものである。これらの態様に対する様々な変更は当業者には容易に明らかであり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明するいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示するいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に本願発明の当初の特許請求の範囲に記載された発明を付記する。
［Ｃ１］
基地局のワイヤレス通信の方法であって、
ユーザ機器（ＵＥ）についてのチャネル品質がしきい値品質よりも低いと決定することと、
前記チャネル品質が前記しきい値品質よりも低いと決定されたかどうかに基づいて、前記ＵＥとのビーム掃引を実行する周期性を調整するように１つまたは複数の基地局に指令することと
を備える、方法。
［Ｃ２］
前記チャネル品質に基づいて、前記ＵＥがしきい値変動性よりも大きいチャネル変動性を有すると決定することをさらに備え、ここにおいて、前記指令することは、前記ＵＥが前記しきい値変動性よりも大きいチャネル変動性を有すると決定されたとき、前記ビーム掃引を実行する周期性を増大させるように、前記ＵＥをサービスする基地局に指令することを備える、Ｃ１に記載の方法。
［Ｃ３］
前記チャネル品質に基づいて、前記ＵＥが第１の基地局から第２の基地局にハンドオフされる必要があると決定することをさらに備え、ここにおいて、前記指令することが、前記第１の基地局から前記第２の基地局への前記ＵＥの前記ハンドオフを容易にするために、前記ＵＥとの前記ビーム掃引を実行する周期性を増大させるように、前記第１の基地局または前記第２の基地局のうちの少なくとも１つに指令することを備える、Ｃ１に記載の方法。
［Ｃ４］
前記第１の基地局、前記第２の基地局、および前記ＵＥからのビーム掃引結果を含むビーム掃引結果情報を、前記第１の基地局および前記第２の基地局から受信することをさらに備え、ここにおいて、前記ハンドオフ決定が前記受信されたビーム結果情報に基づく、Ｃ３に記載の方法。
［Ｃ５］
前記ＵＥの前記ハンドオフ決定が、前記第１の基地局から前記第２の基地局へのＵＥの前のハンドオフの知識にさらに基づく、Ｃ４に記載の方法。
［Ｃ６］
前記第１の基地局または前記第２の基地局のうちの前記少なくとも１つに前記指令することは、前記第２の基地局が前記第１の基地局からの前記ハンドオフにおいて前記ＵＥを受信する前に、前記ビーム掃引を実行する前記周期性を増大させるように、前記第１の基地局または前記第２の基地局のうちの前記少なくとも１つに指令することを備える、Ｃ３に記載の方法。
［Ｃ７］
前記第１の基地局または前記第２の基地局のうちの前記少なくとも１つに前記指令することは、前記第２の基地局が前記ハンドオフにおいて前記第１の基地局から前記ＵＥを受信成功した後に、前記ビーム掃引を実行する前記周期性を減少させるように、前記第１の基地局または前記第２の基地局のうちの前記少なくとも１つに指令することを備える、Ｃ３に記載の方法。
［Ｃ８］
前記ＵＥが前記第２の基地局にハンドオフされる前に、前記第１の基地局に前記ＵＥについてのデータパケットをフォワーディングすることと、
前記ＵＥが前記第１の基地局から前記第２の基地局にハンドオフされた後に、前記第２の基地局に前記ＵＥについてのデータパケットをフォワーディングすることと
をさらに備える、Ｃ３に記載の方法。
［Ｃ９］
前記ビーム掃引が、基地局または前記ＵＥのうちの１つによる複数の異なる送信空間方向におけるビームの複数の送信、および前記基地局または前記ＵＥのうちの前記１つの他方による複数の異なる走査空間方向における前記ビームの複数の走査である、Ｃ１に記載の方法。
［Ｃ１０］
基地局のワイヤレス通信の方法であって、
ユーザ機器（ＵＥ）に関連するチャネル品質に基づいて、前記ＵＥとのビーム掃引を実行するための周期性を調整することと、前記ビーム掃引が、前記基地局または前記ＵＥのうちの１つによる複数の異なる送信空間方向におけるビームの複数の送信、および前記基地局または前記ＵＥのうちの前記１つの他方による複数の異なる走査空間方向における前記ビームの複数の走査である、
前記調整された周期性において前記ビーム掃引を実行することと
を備える、方法。
［Ｃ１１］
前記ＵＥに関連する前記チャネル品質およびチャネル変動性に基づく、前記周期性を調整するようにとの要求を受信することをさらに備え、ここにおいて、前記基地局は、前記チャネル品質がしきい値品質よりも低く、前記チャネル変動性が変動性しきい値よりも大きいとき、前記ビーム掃引を実行する前記周期性を増大させ、前記チャネル品質が第２のしきい値品質よりも高く、前記チャネル変動性が第２の変動性しきい値よりも小さいとき、前記ビーム掃引を実行する前記周期性を減少させる、Ｃ１０に記載の方法。
［Ｃ１２］
前記ＵＥの前記チャネル品質およびハンドオフ状態に基づく、前記周期性を調整するようにとの要求を受信することをさらに備え、ここにおいて、前記基地局は、前記基地局が第２の基地局に前記ＵＥをハンドオフしているか、または前記第２の基地局からのハンドオフにおいて前記ＵＥを受信しているとき、前記ビーム掃引を実行する前記周期性を増大させ、前記ＵＥが前記第２の基地局にハンドオフ成功されたか、または前記第２の基地局からのハンドオフにおいて受信成功されたとき、前記ビーム掃引を実行する前記周期性を減少させる、Ｃ１０に記載の方法。
［Ｃ１３］
ワイヤレス通信のための装置であって、前記装置が基地局であり、
ユーザ機器（ＵＥ）についてのチャネル品質がしきい値品質よりも低いと決定するための手段と、
前記チャネル品質が前記しきい値品質よりも低いと決定されたかどうかに基づいて、前記ＵＥとのビーム掃引を実行する周期性を調整するように１つまたは複数の基地局に指令するための手段と
を備える、装置。
［Ｃ１４］
前記チャネル品質に基づいて、前記ＵＥがしきい値変動性よりも大きいチャネル変動性を有すると決定するための手段をさらに備え、ここにおいて、指令するための前記手段は、前記ＵＥが前記しきい値変動性よりも大きいチャネル変動性を有すると決定されたとき、前記ビーム掃引を実行する周期性を増大させるように、前記ＵＥをサービスする基地局に指令するように構成される、Ｃ１３に記載の装置。
［Ｃ１５］
前記チャネル品質に基づいて、前記ＵＥが第１の基地局から第２の基地局にハンドオフされる必要があると決定するための手段をさらに備え、ここにおいて、指令するための前記手段が、前記第１の基地局から前記第２の基地局への前記ＵＥの前記ハンドオフを容易にするために、前記ＵＥとの前記ビーム掃引を実行する周期性を増大させるように、前記第１の基地局または前記第２の基地局のうちの少なくとも１つに指令するように構成される、Ｃ１３に記載の装置。
［Ｃ１６］
前記第１の基地局、前記第２の基地局、および前記ＵＥからのビーム掃引結果を含むビーム掃引結果情報を、前記第１の基地局および前記第２の基地局から受信するための手段をさらに備え、ここにおいて、前記ハンドオフ決定が前記受信されたビーム結果情報に基づく、Ｃ１５に記載の装置。
［Ｃ１７］
前記ＵＥの前記ハンドオフ決定が、前記第１の基地局から前記第２の基地局へのＵＥの前のハンドオフの知識にさらに基づく、Ｃ１６に記載の装置。
［Ｃ１８］
前記第１の基地局または前記第２の基地局のうちの前記少なくとも１つに指令するための前記手段は、前記第２の基地局が前記第１の基地局からの前記ハンドオフにおいて前記ＵＥを受信する前に、前記ビーム掃引を実行する前記周期性を増大させるように、前記第１の基地局または前記第２の基地局のうちの前記少なくとも１つに指令するように構成される、Ｃ１５に記載の装置。
［Ｃ１９］
前記第１の基地局または前記第２の基地局のうちの前記少なくとも１つに指令するための前記手段は、前記第２の基地局が前記ハンドオフにおいて前記第１の基地局から前記ＵＥを受信成功した後に、前記ビーム掃引を実行する前記周期性を減少させるように、前記第１の基地局または前記第２の基地局のうちの前記少なくとも１つに指令するように構成される、Ｃ１５に記載の装置。
［Ｃ２０］
前記ＵＥが前記第２の基地局にハンドオフされる前に、前記第１の基地局に前記ＵＥについてのデータパケットをフォワーディングするための手段と、
前記ＵＥが前記第１の基地局から前記第２の基地局にハンドオフされた後に、前記第２の基地局に前記ＵＥについてのデータパケットをフォワーディングするための手段と
をさらに備える、Ｃ１５に記載の装置。
［Ｃ２１］
前記ビーム掃引が、基地局または前記ＵＥのうちの１つによる複数の異なる送信空間方向におけるビームの複数の送信、および前記基地局または前記ＵＥのうちの前記１つの他方による複数の異なる走査空間方向における前記ビームの複数の走査である、Ｃ１３に記載の装置。
［Ｃ２２］
ワイヤレス通信のための装置であって、前記装置が基地局であり、
ユーザ機器（ＵＥ）に関連するチャネル品質に基づいて、前記ＵＥとのビーム掃引を実行するための周期性を調整するための手段と、前記ビーム掃引が、前記基地局または前記ＵＥのうちの１つによる複数の異なる送信空間方向におけるビームの複数の送信、および前記基地局または前記ＵＥのうちの前記１つの他方による複数の異なる走査空間方向における前記ビームの複数の走査である、
前記調整された周期性において前記ビーム掃引を実行するための手段と
を備える、装置。
［Ｃ２３］
前記ＵＥに関連する前記チャネル品質およびチャネル変動性に基づく、前記周期性を調整するようにとの要求を受信するための手段をさらに備え、ここにおいて、調整するための前記手段は、前記チャネル品質がしきい値品質よりも低く、前記チャネル変動性が変動性しきい値よりも大きいとき、前記ビーム掃引を実行する前記周期性を増大させ、前記チャネル品質が第２のしきい値品質よりも高く、前記チャネル変動性が第２の変動性しきい値よりも小さいとき、前記ビーム掃引を実行する前記周期性を減少させる、Ｃ２２に記載の装置。
［Ｃ２４］
前記ＵＥの前記チャネル品質およびハンドオフ状態に基づく、前記周期性を調整するようにとの要求を受信するための手段をさらに備え、ここにおいて、調整するための前記手段は、前記基地局が第２の基地局に前記ＵＥをハンドオフしているか、または前記第２の基地局からのハンドオフにおいて前記ＵＥを受信しているとき、前記ビーム掃引を実行する前記周期性を増大させ、前記ＵＥが前記第２の基地局にハンドオフ成功されたか、または前記第２の基地局からのハンドオフにおいて受信成功されたとき、前記ビーム掃引を実行する前記周期性を減少させる、Ｃ２２に記載の装置。